(57)【要約】【課題】  円板状記録媒体のセンターリングを精度良く行うことを課題とする。【解決手段】  円板状記録媒体６を支持して回転するターンテーブル１において、円板状記録媒体を載置する載置面３ａから突出し、円板状記録媒体の取付基準孔７ａ、８ａに対してセンターリングを行うセンターリング突部４を有し、センターリング突部は、円盤状記録媒体の取付基準孔を押圧するチャッキング爪１０とチャッキング爪を摺動自在に支持する配置凹部１１とを有する。【選択図】図１
2006221798.tif 000002
【特許請求の範囲】
【請求項１】
円板状記録媒体を支持して回転するターンテーブルであって、
上記円板状記録媒体を載置する載置面から突出し、上記円板状記録媒体の取付基準孔に対してセンターリングを行うセンターリング突部を有し、
上記センターリング突部は、上記円盤状記録媒体の上記取付基準孔を押圧するチャッキング爪と、
上記チャッキング爪を摺動自在に支持する支持部とを有する
ことを特徴とするターンテーブル。
【請求項２】
上記チャッキング爪を上記センターリング突部の外周面から突出する方向へ付勢する付勢手段を上記支持部に設けた
ことを特徴とする請求項１に記載のターンテーブル。
【請求項３】
上記チャッキング爪の抜け出しを防止するストッパを上記支持部に設けた
ことを特徴とする請求項１に記載のターンテーブル。
【請求項４】
上記チャッキング爪は上記センタリング突部の外周部の周方向に等間隔に配置される
ことを特徴とする請求項１に記載のターンテーブル。
【請求項５】
上記支持部は、上記チャッキング爪を摺動自在に支持する凹部を有する
ことを特徴とする請求項１に記載のターンテーブル。
【請求項６】
円板状記録媒体を支持して回転するターンテーブルを備える円板状記録媒体駆動装置において、
上記ターンテーブルは、
上記円板状記録媒体を載置する載置面から突出し、上記円板状記録媒体の取付基準孔に対してセンターリングを行うセンターリング突部を有し、
上記センターリング突部は、上記円盤状記録媒体の上記取付基準孔を押圧するチャッキング爪と、
上記チャッキング爪を摺動自在に支持する支持部とを有する
ことを特徴とする円板状記録媒体駆動装置。
【発明の詳細な説明】
【技術分野】
【０００１】
本発明は新規な円板状記録媒体駆動装置及びそのターンテーブルに関する。詳しくは、円板状記録媒体のセンターリングを精度良く行う技術に関する。
【背景技術】
【０００２】
円板状記録媒体を使用する装置においては、ピックアップのセンターに対する円板状記録媒体のセンターずれ、即ち、円板状記録媒体を回転させるスピンドルモータの回転センターに対する偏芯が、ピックアップの読取及び書込み精度特性に影響する。
【０００３】
そこで、円板状記録媒体のスピンドルモータの回転センターに対する偏芯を抑えるために、円板状記録媒体を載置保持すると共にスピンドルモータによって回転されるターンテーブルに対する円板状記録媒体のセンターリングを行っている。
【０００４】
そして、上記センターリングは、図４及び図５に示すように、ターンテーブルａに円板状記録媒体の取付基準孔の内径より僅かに小さい外径を有するセンターリング突部ｂを突設し、該センターリング突部ｂに円板状記録媒体の取付基準孔を外嵌させて行っている。
【発明の開示】
【発明が解決しようとする課題】
【０００５】
ところで、上記した従来におけるセンターリング方法では、２枚以上のディスク要素を貼り合わせて成るいわゆる貼り合わせ型の円板状記録媒体を使用する場合、センターリングの精度が悪化する場合があるという問題がある。
【０００６】
貼り合わせ型の円板状記録媒体に、例えば、ＤＶＤ（デジタルビデオディスク）がある。ＤＶＤでは、ディスクの高容量化のために、２枚のディスク要素を貼り合わせて、その２枚のディスク要素の両方に情報が書き込んであり、ディスクの片面側からその２枚のディスク要素の両方の情報を読みとる方式がとられている。
【０００７】
上記した従来のターンテーブルａにあっては、ターンテーブルａのセンターリング突部ｂが円板状記録媒体の取付基準孔の全内周面に接触してセンターリングを行っていたために、ＤＶＤのように、２枚のディスク要素ｃ、ｄを貼り合わせた円板状記録媒体ｅのセンターリングでは、２枚のディスク要素ｃ、ｄの取付基準孔ｆ、ｇの同軸度が悪い場合、２枚のディスク要素ｃ、ｄそれぞれの離間している中心軸の間の中央に対応した側縁ｈ、ｈでしかセンターリングが出来ない（図４参照）ために、２枚のディスク要素ｃ、ｄの同軸度が悪いほど、ターンテーブルａに対する円板状記録媒体ｅの同軸度（誤差）ｉが悪化し、図示しないピックアップによる読取、書き込み精度特性が大きく悪化する（図４、図５参照）。
【０００８】
また、貼り合わせ型の円板状記録媒体にあっては、例えば、２枚のディスク要素ｃ、ｄの同軸度には許容された公差があり、該公差の分だけ、ターンテーブルａのセンターリング突部ｂの外径を小さくしておく必要があり、仮に、２枚のディスク要素の同軸度がゼロの精度の良い円板状記録媒体ｊのセンターリングにおいては、その取付基準孔ｋとセンターリング突部ｂとの間のクリアランスｌが大きくなり、ターンテーブルａに対する円板状記録媒体ｊのセンターリング精度がクリアランスｌ分悪化するために、２枚のディスク要素ｃ、ｄの同軸度がよい円板状記録媒体ｊのセンターリングの場合でも、ピックアップの読取、書き込み精度特性が大きく悪化した（図６参照）。
【０００９】
そこで、本発明は、円板状記録媒体のセンターリングを精度良く行うことを課題とする。
【課題を解決するための手段】
【００１０】
本発明は、上記した課題を解決するために、円板状記録媒体を載置する載置面から突出し、円板状記録媒体の取付基準孔に対してセンターリングを行うセンターリング突部を有し、センターリング突部は、円盤状記録媒体の取付基準孔を押圧するチャッキング爪と、チャッキング爪を摺動自在に支持する支持部とを有するものである。
【発明の効果】
【００１１】
従って、本発明にあっては、円板状記録媒体の取付基準孔に対してセンターリングを行うセンターリング突部に、円盤状記録媒体の取付基準孔を押圧するチャッキング爪が形成されているので、円板状記録媒体のセンターリングの精度が向上する。
【発明を実施するための最良の形態】
【００１２】
以下に、本発明の実施の形態を添付図面を参照して説明する。尚、図示した実施の形態は、本発明をＤＶＤのように２枚のディスク要素を貼り合わせて成る貼り合わせ型の円板状記録媒体を使用するターンテーブルに適用したものである。
【００１３】
ターンテーブル１はスピンドルモータ２の図示しない回転軸に直結され、該スピンドルモータ２によって回転されるようになっている。
【００１４】
ターンテーブル１は円板状をした載置部３の上面、即ち、円板状記録媒体を載置する載置面３ａの中心部からセンターリング突部４が上方へ突出されて成る。センターリング突部４は載置面３ａ側の部分がその他の部分より外径が大きく平面形状で円形をした位置決め部５とされている。該位置決め部５の上面は外縁に行くに従ってやや下方へ変位している傾斜面５ａとされている。そして、該位置決め部５の載置面３ａからの突出量は貼り合わせ型円板状記録媒体６の互いに貼り合わせられた２枚のディスク要素７、８のうち信号読取面側、即ち、使用されるときにターンテーブル１の載置面３ａ側に位置するディスク要素７の厚さより僅かに小さくされている。また、該位置決め部５の外径は信号読取面側ディスク要素７の取付基準孔７ａの内径とほぼ同じに形成されている。
【００１５】
また、センターリング突部４の位置決め部５より上側の部分９は平面形状で円形を為し、その外径は２枚のディスク要素７、８の公差として許容された同軸度の分と同じか又はそれ以上に取付基準孔７ａ、８ａより小さく形成されている。
【００１６】
尚、センターリング突部４にはチャッキング爪１０、１０、・・・が設けられている。即ち、４個のチャッキング爪１０、１０、・・・がセンターリング突部４の外周部の周方向に等間隔に離間された位置に半径方向に延びるように形成された配置凹部１１、１１、・・・に半径方向に摺動自在に支持され、且つ、該チャッキング爪１０、１０、・・・と配置凹部１１、１１、・・・の奥面との間に介挿された圧縮コイルバネ１２、１２、・・・によってセンターリング突部４の外周面から突出する方向への移動力を付勢されている。尚、これらチャッキング爪１０、１０、・・・は図示しないストッパによって、配置凹部１１、１１、・・・から抜け出てしまうことがないようにされている。そして、各チャッキング爪１０、１０、・・・はその先端部の上面及び下面が斜面１０ａ、１０ａ、・・・及び１０ｂ、１０ｂ、・・・とされ、先細りになるようにされている。
【００１７】
しかして、円板状記録媒体６のターンテーブル１への保持は以下のようにして為される。
【００１８】
円板状記録媒体６が上方から信号読取面側のディスク要素７が載置面３ａに対向した向きでターンテーブル１に接近してくると、その取付基準孔６ａがセンターリング突部４に外嵌されていき、取付基準孔６ａの縁がチャッキング爪１０、１０、・・・の上側の斜面１０ａ、１０ａ、・・・を押圧し、これによって、チャッキング爪１０、１０、・・・が圧縮コイルバネ１２、１２、・・・の付勢力に抗してセンターリング突部４の配置凹部１１、１１、・・・内に引っ込み、円板状記録媒体６はチャッキング爪１０、１０、・・・を越えて載置面３ａ上に載置される。そして、円板状記録媒体６がチャッキング爪１０、１０、・・・を越えると、該チャッキング爪１０、１０、・・・は再び配置凹部１１、１１、・・・から突出し、その下側の斜面１０ｂ、１０ｂ、・・・が円板状記録媒体６の取付基準孔６ａの上側の縁を弾発的に押え、これによって、円板状記録媒体６はターンテーブル１にその載置面３ａ上に載置された状態でチャッキングされる。
【００１９】
そして、スピンドルモータ２の駆動によってターンテーブル１が回転し、これにチャッキングされている円板状記録媒体６が共に回転し、図示しない光学ピックアップによって下側、即ち信号読取面側のディスク要素７の下面側から信号の読取及び／又は書き込みが行われる。
【００２０】
そして、上記したターンテーブル１にあっては、２枚のディスク要素７と８との同軸度が悪くても、反信号読取面側のディスク要素８の取付基準孔８ａは位置決め部５には接触せず、信号読取面側のディスク要素７の取付基準孔７ａと位置決め部５とによってのみセンターリングが行われ、従って、信号読取面側におけるセンターリングの精度が向上する。
【００２１】
尚、上記実施の形態においては、ＤＶＤディスクのような２枚のディスク要素を貼り合わせて成る円板状記録媒体を使用するターンテーブルに適用したものを示したが、本発明は２枚以上のディスク要素を貼り合わせて成る円板状記録媒体を使用するターンテーブルに広く適用することが出来る。例えば、ＣＤプレーヤ、ＣＤ−ＲＯＭドライブ、ＤＶＤドライブ、ＤＶＤ−ＲＯＭドライブ、ＤＶＤ−ＲＡＭドライブ、ＣＤ−Ｒレコーダ、ＣＤ−ＲＷレコーダ、ＭＤドライブ、ＭＯドライブ、ＬＤプレーヤ等の２枚以上のディスク要素を貼り合わせた円板状記録媒体を使用する可能性のある装置におけるターンテーブルに広く適用することが出来る。
【００２２】
また、上記実施の形態においては、位置決め部の平面形状が円形のものを示したが、これは円形のもの限定されるものではなく、例えば、三角形、六角形等、適宜の形状のものでよく、要は、円板状記録媒体の取付基準孔と接触する部分に外接する円の径が所定の寸法のものであればよい。
【００２３】
尚、上記した実施の形態において示した各部の形状及び構造は、何れも本発明を実施するに当たっての具体化のほんの一例を示したものにすぎず、これらによって本発明の技術的範囲が限定的に解釈されるようなことがあってはならないものである。
【図面の簡単な説明】
【００２４】
【図１】図２及び図３と共に本発明の実施の形態を示すものであり、本図は平面図である。
【図２】側面図である。
【図３】円板状記録媒体を載置した状態の側面図である。
【図４】図５と共に２枚のディスク要素の同軸度が悪い円板状記録媒体を使用する場合の従来の円板状記録媒体用ターンテーブルの問題点を示す図であり、本図は平面図である。
【図５】側面図である。
【図６】２枚のディスク要素の同軸度が良い円板状記録媒体を使用する場合の従来の円板状記録媒体用ターンテーブルの問題点を示す側面図である。
【符号の説明】
【００２５】
１…ターンテーブル、３ａ…載置面、４…センターリング突部、６…円板状記録媒体、７ａ…取付基準孔、８ａ…取付基準孔、１０…チャッキング爪、１１…配置凹部（支持部）、１２…圧縮コイルバネ（付勢手段）
【図１】
2006221798.tif 000003
【図２】
2006221798.tif 000004
【図３】
2006221798.tif 000005
【図４】
2006221798.tif 000006
【図５】
2006221798.tif 000007
【図６】
2006221798.tif 000008